(57)【要約】【課題】本発明は、車両の所定領域が荷物の配達場所として利用されるシステムにおいて、該所定領域に荷物を配達することができなくなる事態を可及的に抑制することを目的とする。【解決手段】第一タイミングにおいて、指定車両の駐車予定位置に関する第一情報に基づいて、荷物の配達が可能か否かを判断する第一判断手段を有する配送システムにおいて、第一タイミングよりも後で且つ荷物が受取人に配達される前の第二タイミングにおいて、指定車両の位置情報に関する第二情報を取得する第二取得手段と、第二タイミングにおいて、第二情報に基づいて、荷物の配達が可能か否かを判断する第二判断手段であって、該第二情報に基づく位置における指定車両に対して、荷物の配達が可能か否かを判断する第二判断手段と、指定車両に対して荷物の配達ができないと判断された場合に、受取人に所定の第一通知情報を通知する第一通知手段と、を備える。【選択図】図１０
2019119549.tif 000002
【特許請求の範囲】
【請求項１】
車両の所定領域が荷物の配達場所として利用されるシステムであって、
荷物が受取人に配達される前の所定のタイミングである第一タイミングにおいて、荷物の配達先となる指定車両の駐車予定位置であって、配達人によって荷物が配達されるときの該指定車両の駐車予定位置に関する第一情報を取得する第一取得手段と、
前記第一タイミングにおいて、前記第一取得手段によって取得された前記第一情報に基づいて、前記配達人による荷物の配達が可能か否かを判断する第一判断手段であって、該配達人による荷物の配達時に前記駐車予定位置に駐車された前記指定車両に対して、荷物の配達が可能か否かを判断する第一判断手段と、
前記指定車両の前記所定領域を施解錠するための認証情報を前記配達人の端末に発行する認証情報発行手段と、を有する配送システムにおいて、
前記第一タイミングよりも後で且つ荷物が前記受取人に配達される前の所定のタイミングである第二タイミングにおいて、前記指定車両の位置情報に関する第二情報を取得する第二取得手段と、
前記第二タイミングにおいて、前記第二取得手段によって取得された前記第二情報に基づいて、前記配達人による荷物の配達が可能か否かを判断する第二判断手段であって、該第二情報に基づく位置における前記指定車両に対して、荷物の配達が可能か否かを判断する第二判断手段と、
前記第二判断手段によって、前記指定車両に対して荷物の配達ができないと判断された場合に、前記受取人に所定の第一通知情報を通知する第一通知手段と、
を備える、配送システム。
【請求項２】
前記第二取得手段は、前記第二情報として、前記指定車両の現在位置の位置情報である現在位置情報を取得し、
前記配送システムは、駐車場に関する所定の情報である第三情報を取得する第三取得手段を、更に備え、
前記第二判断手段は、前記第二取得手段によって取得された前記現在位置情報と、前記第三取得手段によって取得された前記第三情報と、に基づいて、前記指定車両に対して荷物の配達が可能か否かを判断する、
請求項１に記載の配送システム。
【請求項３】
前記第二取得手段は、前記指定車両が駐車状態であるとき、前記第二情報として前記現在位置情報を取得する、
請求項２に記載の配送システム。
【請求項４】
前記駐車状態は、前記指定車両のシステム電源がオフにされたとき、前記指定車両が備えるエンジンがオフにされたとき、前記指定車両が備えるパーキングブレーキがオンにされたとき、又は前記指定車両が所定時間以上停車されたときである、
請求項３に記載の配送システム。
【請求項５】
前記第二取得手段は、前記第二情報として、前記指定車両の移動スケジュールに基づく該指定車両の位置情報である移動位置情報を取得し、
前記配送システムは、駐車場に関する所定の情報である第三情報を取得する第三取得手段を、更に備え、
前記第二判断手段は、前記第二取得手段によって取得された前記移動位置情報と、前記第三取得手段によって取得された前記第三情報と、に基づいて、前記指定車両に対して荷物の配達が可能か否かを判断する、
請求項１に記載の配送システム。
【請求項６】
前記第二取得手段によって取得された前記第二情報に基づく前記指定車両の位置と、前記駐車予定位置とが異なり、且つ、前記第二判断手段によって、前記指定車両に対する荷物の配達が可能と判断された場合に、第前記受取人に所定の第二通知情報を通知する第二通知手段を、更に備える、
請求項１から５の何れか１項に記載の配送システム。
【請求項７】
前記指定車両は、前記受取人が所有する車両であることを特徴とする、
請求項１から６の何れか１項に記載の配送システム。
【請求項８】
前記指定車両は、前記受取人とは異なる第三者が所有する車両であることを特徴とする、
請求項１から６の何れか１項に記載の配送システム。
【請求項９】
前記第二判断手段によって、前記指定車両に対して荷物の配達ができないと判断された場合に、前記指定車両の変更を受付ける変更受付手段を、更に備える、
請求項７又は８に記載の配送システム。
【請求項１０】
車両の所定領域が荷物の配達場所として利用されるシステムを制御する情報処理装置であって、
荷物が受取人に配達される前の所定のタイミングである第一タイミングにおいて、荷物の配達先となる指定車両の駐車予定位置であって、配達人によって荷物が配達されるときの該指定車両の駐車予定位置に関する第一情報を取得する第一取得部と、
前記第一タイミングにおいて、前記第一取得部によって取得された前記第一情報に基づいて、前記配達人による荷物の配達が可能か否かを判断する第一判断部であって、該配達人による荷物の配達時に前記駐車予定位置に駐車された前記指定車両に対して、荷物の配達が可能か否かを判断する第一判断部と、
前記指定車両の前記所定領域を施解錠するための認証情報を前記配達人の端末に発行する認証情報発行部と、を有する情報処理装置において、
前記第一タイミングよりも後で且つ荷物が前記受取人に配達される前の所定のタイミングである第二タイミングにおいて、前記指定車両の位置情報に関する第二情報を取得する第二取得部と、
前記第二タイミングにおいて、前記第二取得部によって取得された前記第二情報に基づいて、前記配達人による荷物の配達が可能か否かを判断する第二判断部であって、該第二情報に基づく位置における前記指定車両に対して、荷物の配達が可能か否かを判断する第二判断部と、
前記第二判断部によって、前記指定車両に対して荷物の配達ができないと判断された場合に、前記受取人に所定の第一通知情報を通知する第一通知部と、
を備える、情報処理装置。
【請求項１１】
車両の所定領域が荷物の配達場所として利用されるシステムを制御する情報処理方法であって、
コンピュータが、
荷物が受取人に配達される前の所定のタイミングである第一タイミングにおいて、荷物の配達先となる指定車両の駐車予定位置であって、配達人によって荷物が配達されるときの該指定車両の駐車予定位置に関する第一情報を取得する第一取得ステップと、
前記第一タイミングにおいて、前記第一取得ステップによって取得された前記第一情報に基づいて、前記配達人による荷物の配達が可能か否かを判断する第一判断ステップであって、該配達人による荷物の配達時に前記駐車予定位置に駐車された前記指定車両に対して、荷物の配達が可能か否かを判断する第一判断ステップと、
前記指定車両の前記所定領域を施解錠するための認証情報を前記配達人の端末に発行す
る認証情報発行ステップと、を実行する情報処理方法において、
前記コンピュータが、
前記第一タイミングよりも後で且つ荷物が前記受取人に配達される前の所定のタイミングである第二タイミングにおいて、前記指定車両の位置情報に関する第二情報を取得する第二取得ステップと、
前記第二タイミングにおいて、前記第二取得ステップによって取得された前記第二情報に基づいて、前記配達人による荷物の配達が可能か否かを判断する第二判断ステップであって、該第二情報に基づく位置における前記指定車両に対して、荷物の配達が可能か否かを判断する第二判断ステップと、
前記第二判断ステップによって、前記指定車両に対して荷物の配達ができないと判断された場合に、前記受取人に所定の第一通知情報を通知する第一通知ステップと、
を実行する、情報処理方法。
【請求項１２】
車両の所定領域が荷物の配達場所として利用されるシステムを制御する情報処理プログラムであって、
コンピュータに、
荷物が受取人に配達される前の所定のタイミングである第一タイミングにおいて、荷物の配達先となる指定車両の駐車予定位置であって、配達人によって荷物が配達されるときの該指定車両の駐車予定位置に関する第一情報を取得する第一取得ステップと、
前記第一タイミングにおいて、前記第一取得ステップによって取得された前記第一情報に基づいて、前記配達人による荷物の配達が可能か否かを判断する第一判断ステップであって、該配達人による荷物の配達時に前記駐車予定位置に駐車された前記指定車両に対して、荷物の配達が可能か否かを判断する第一判断ステップと、
前記指定車両の前記所定領域を施解錠するための認証情報を前記配達人の端末に発行する認証情報発行ステップと、を実行させる情報処理プログラムにおいて、
前記コンピュータに、
前記第一タイミングよりも後で且つ荷物が前記受取人に配達される前の所定のタイミングである第二タイミングにおいて、前記指定車両の位置情報に関する第二情報を取得する第二取得ステップと、
前記第二タイミングにおいて、前記第二取得ステップによって取得された前記第二情報に基づいて、前記配達人による荷物の配達が可能か否かを判断する第二判断ステップであって、該第二情報に基づく位置における前記指定車両に対して、荷物の配達が可能か否かを判断する第二判断ステップと、
前記第二判断ステップによって、前記指定車両に対して荷物の配達ができないと判断された場合に、前記受取人に所定の第一通知情報を通知する第一通知ステップと、
を実行させる、情報処理プログラム。
【発明の詳細な説明】
【技術分野】
【０００１】
本発明は、配送システム、情報処理装置、情報処理方法、及び情報処理プログラムに関する。
【背景技術】
【０００２】
特許文献１には、受取人が配達物を受け取る荷受用車両を予め登録し、登録された荷受用車両のトランク内に配達物を収容することで、受取人が不在の場合であっても配達物の受け渡しを可能にする技術が開示されている。
【先行技術文献】
【特許文献】
【０００３】
【特許文献１】特開２００６−２０６２２５号公報
【特許文献２】特開２０１５−０４５１４１号公報
【特許文献３】米国特許第９５０８２０４号明細書
【特許文献４】米国特許出願公開第２０１５／３３２５３１号明細書
【特許文献５】米国特許出願公開第２０１７／０１７９２０号明細書
【発明の概要】
【発明が解決しようとする課題】
【０００４】
従来の配送システム（例えば、特許文献１を参照）では、ユーザは、例えばインターネット等を利用して商品を注文して配達先を指定するとき、車両の荷室を指定することができる。このとき、指定された車両の駐車位置によっては、該車両の荷室への荷物の運び入れが困難になることがある。したがって、このような場合には、ユーザに対して所定の警告がなされる。
【０００５】
このような配送システムによれば、車両の荷室に荷物を確実に配達することができるようにも思われる。しかしながら、車両は主に移動手段として用いられるものである。そのため、ユーザによって配達先として車両の荷室が指定されたときに、該車両の駐車位置が、該荷室への荷物の運び入れが可能な駐車位置に設定されていたとしても、その後に実際に荷物が該荷室に配達されるときには、該車両が該駐車位置から移動されている可能性がある。そして、この場合には、車両の荷室に荷物を配達することができなくなる虞がある。このように、車両の荷室に荷物を配達する技術については、未だ改良の余地を残すものである。
【０００６】
本発明は、上記の問題点に鑑みてなされたものであり、車両の所定領域が荷物の配達場所として利用されるシステムにおいて、該所定領域に荷物を配達することができなくなる事態を可及的に抑制することを目的とする。
【課題を解決するための手段】
【０００７】
本発明は、車両の所定領域が荷物の配達場所として利用される配送システムである。そして、荷物が受取人に配達される前の所定のタイミングである第一タイミングにおいて、荷物の配達先となる指定車両の駐車予定位置であって、配達人によって荷物が配達されるときの該指定車両の駐車予定位置に関する第一情報を取得する第一取得手段と、前記第一タイミングにおいて、前記第一取得手段によって取得された前記第一情報に基づいて、前記配達人による荷物の配達が可能か否かを判断する第一判断手段であって、該配達人による荷物の配達時に前記駐車予定位置に駐車された前記指定車両に対して、荷物の配達が可能か否かを判断する第一判断手段と、前記指定車両の前記所定領域を施解錠するための認
証情報を前記配達人の端末に発行する認証情報発行手段と、を有する。
【０００８】
このような配送システムによれば、第一タイミングにおいて、第一情報に基づいて、指定車両に対して荷物の配達が可能か否かが判断される。ここで、第一タイミングとは、例えば、配送システムを利用するユーザによって、車両の所定領域が荷物の配達先として指定されたときである。なお、車両の所定領域とは、例えば車両の荷室である。ただし、これに限定する意図はなく、車両の所定領域は、車両の車室であってもよい。このとき、該ユーザは、荷物の配達先となる指定車両を指定するだけでなく、該指定車両の駐車予定位置を指定することができる。そうすると、第一取得手段は、指定車両の駐車予定位置を第一情報として取得する。更に、第一取得手段は、指定車両の駐車予定位置とともに、該駐車予定位置の駐車場情報（平面・機械式といった駐車場形式、駐車スペースの大きさ、駐車場へ入場するのに権限が必要か否か等）を第一情報として取得する。なお、駐車場情報は、例えば、駐車予定位置と関連付けられて予め配送システムに登録される。
【０００９】
そして、第一判断手段が、このような第一情報に基づいて、指定車両に対して荷物の配達が可能か否かを判断した結果、仮に指定車両に対して荷物の配達ができないとされた場合、上記の配送システムは、（例えば先行技術文献等に記載の技術に基づいて、）配達可能な条件を設定することができる。この場合、上記の配送システムは、例えば、車両の所定領域への荷物の配達が可能な場所へ駐車予定位置を変更するように促す。これにより、駐車予定位置における指定車両に対して、荷物の配達が可能となる。
【００１０】
しかしながら、実際に荷物が指定車両に配達されるときに、仮に該指定車両が駐車予定位置から移動されていた場合には、指定車両に対して荷物の配達ができなくなる虞がある。詳しくは、指定車両が駐車予定位置から移動された結果、実際に荷物が該指定車両に配達されるときに、該指定車両が、例えば、機械式駐車場に駐車されている場合、または、入場するのに権限が必要な駐車場へ駐車されている場合、または、該指定車両の周囲に荷物を運び入れるために必要なスペースが確保されていないような場所に駐車されている場合、該指定車両に対して荷物の配達ができなくなる。
【００１１】
そこで、本発明に係る配送システムは、前記第一タイミングよりも後で且つ荷物が前記受取人に配達される前の所定のタイミングである第二タイミングにおいて、前記指定車両の位置情報に関する第二情報を取得する第二取得手段と、前記第二タイミングにおいて、前記第二取得手段によって取得された前記第二情報に基づいて、前記配達人による荷物の配達が可能か否かを判断する第二判断手段であって、該第二情報に基づく位置における前記指定車両に対して、荷物の配達が可能か否かを判断する第二判断手段と、前記第二判断手段によって、前記指定車両に対して荷物の配達ができないと判断された場合に、前記受取人に所定の第一通知情報を通知する第一通知手段と、を備える。
【００１２】
本発明に係る配送システムによれば、第二タイミングにおいて、第二情報に基づいて、指定車両に対して荷物の配達が可能か否かが判断される。ここで、第二タイミングとは、第一タイミングよりも後で且つ配達予定時刻よりも前の所定の時刻であって、例えば、配達予定時刻近傍の時刻である。この配送システムでは、第二情報に基づく位置が駐車予定位置と同じである場合には、第二判断手段によって、指定車両に対する荷物の配達が可能と判断される。なお、第二情報とは、例えば、後述するように、第二タイミングにおける指定車両の現在位置情報である。
【００１３】
一方、第二情報に基づく位置が駐車予定位置と異なる場合、第二判断手段は、第二情報に基づく位置であって駐車予定位置とは異なる位置における指定車両に対して、荷物の配達が可能か否かを判断する。このとき、第二判断手段は、駐車予定位置とは異なる上記の位置の駐車場情報に基づいて、上記を判断することができる。ただし、本発明はこれに限
定されず、第二情報に基づく位置が駐車予定位置と異なる場合には、第二判断手段は、指定車両に対して荷物の配達ができないと判断してもよい。
【００１４】
そして、指定車両に対して荷物の配達ができないと判断された場合、受取人に所定の第一通知情報が通知される。なお、所定の第一通知情報とは、例えば、指定車両に対して荷物の配達ができない旨の情報である。そうすると、第一通知情報が通知された受取人によって、例えば、車両の所定領域への荷物の配達が可能な場所に指定車両が移動される。または、配達日時や配達場所を改めて指定する再配達依頼がなされる。このようにして、指定車両が、該車両の所定領域への荷物の配達が可能な状態にされると、配達人は、自身の端末に発行された指定車両の所定領域を施解錠するための認証情報を用いて、指定車両の所定領域へ荷物を配達することができる。
【００１５】
以上に述べた配送システムによれば、車両の所定領域が荷物の配達場所として利用されるシステムにおいて、該所定領域に荷物を配達することができなくなる事態を可及的に抑制することができる。
【００１６】
また、上述した配送システムにおいて、前記第二取得手段は、前記第二情報として、前記指定車両の現在位置の位置情報である現在位置情報を取得し、該配送システムは、駐車場に関する所定の情報である第三情報を取得する第三取得手段を、更に備えてもよい。そして、前記第二判断手段は、前記第二取得手段によって取得された前記現在位置情報と、前記第三取得手段によって取得された前記第三情報と、に基づいて、前記指定車両に対して荷物の配達が可能か否かを判断してもよい。ここで、第三取得手段は、駐車場の位置、駐車場形式、駐車スペースの大きさ、駐車場へ入場するのに権限が必要か否か等の情報が含まれる第三情報を、例えば、所定の地図情報に含まれる各駐車場について取得する。第二判断手段は、現在位置情報と、所定の地図情報に含まれる駐車場位置情報とを照合し、現在位置情報に対応する駐車場を特定する。そして、第二判断手段は、上述したような第三情報に基づいて、指定車両に対して荷物の配達が可能か否かを判断する。これによれば、指定車両が駐車予定位置から移動されたとしても、好適に荷物の配達を行うことができる。
【００１７】
ここで、現在位置情報によって指定車両が移動中であると推定される場合には、第二タイミングにおいて現在位置情報が取得されても、それより後に指定車両は移動してしまう。そこで、前記第二取得手段は、前記指定車両が駐車状態であるとき、前記第二情報として前記現在位置情報を取得してもよい。これによれば、現在位置情報に対応する駐車場が特定され易くなり、以て、好適に荷物の配達を行うことができる。
【００１８】
そして、前記駐車状態は、前記指定車両のシステム電源がオフにされたとき、前記指定車両が備えるエンジンがオフにされたとき、前記指定車両が備えるパーキングブレーキがオンにされたとき、又は前記指定車両が所定時間以上停車されたときであってもよい。
【００１９】
また、本発明に係る配送システムにおいて、前記第二取得手段は、前記第二情報として、前記指定車両の移動スケジュールに基づく該指定車両の位置情報である移動位置情報を取得し、該配送システムは、駐車場に関する所定の情報である第三情報を取得する第三取得手段を、更に備えてもよい。そして、前記第二判断手段は、前記第二取得手段によって取得された前記移動位置情報と、前記第三取得手段によって取得された前記第三情報と、に基づいて、前記指定車両に対して荷物の配達が可能か否かを判断してもよい。これによっても、指定車両が駐車予定位置から移動されたとしても、好適に荷物の配達を行うことができる。
【００２０】
上述した配送システムは、前記第二取得手段によって取得された前記第二情報に基づく
前記指定車両の位置と、前記駐車予定位置とが異なり、且つ、前記第二判断手段によって、前記指定車両に対する荷物の配達が可能と判断された場合に、第前記受取人に所定の第二通知情報を通知する第二通知手段を、更に備えてもよい。なお、所定の第二通知情報とは、例えば、第二情報に基づく位置における指定車両に対して、荷物の配達が可能である旨の情報である。そうすると、第二通知情報が通知された受取人は、指定車両が、第一タイミングにおいて指定した駐車予定位置から離れているものの、荷物が指定車両の所定領域に配達されることを確認することができる。そのため、配送システムを利用するユーザの利便性が向上する。
【００２１】
以上に述べた配送システムにおいて、前記指定車両は、前記受取人が所有する車両であってもよいし、前記指定車両は、前記受取人とは異なる第三者が所有する車両であってもよい。これによれば、受取人は、比較的多数の車両の中から荷物の配達先となる車両（指定車両）を設定することができる。そのため、配送システムを利用するユーザの利便性が向上する。なお、上記の第三者とは、配送システムにユーザ登録されたユーザである。
【００２２】
そして、前記第二判断手段によって、前記指定車両に対して荷物の配達ができないと判断された場合に、前記指定車両の変更を受付ける変更受付手段を、更に備えてもよい。これによれば、車両の所定領域に荷物を配達することができなくなる事態が可及的に抑制される。
【００２３】
また、本発明は、情報処理装置の側面から捉えることもできる。例えば、本発明は、荷物が受取人に配達される前の所定のタイミングである第一タイミングにおいて、荷物の配達先となる指定車両の駐車予定位置であって、配達人によって荷物が配達されるときの該指定車両の駐車予定位置に関する第一情報を取得する第一取得部と、前記第一タイミングにおいて、前記第一取得部によって取得された前記第一情報に基づいて、前記配達人による荷物の配達が可能か否かを判断する第一判断部であって、該配達人による荷物の配達時に前記駐車予定位置に駐車された前記指定車両に対して、荷物の配達が可能か否かを判断する第一判断部と、前記指定車両の前記所定領域を施解錠するための認証情報を前記配達人の端末に発行する認証情報発行部と、を有する情報処理装置において、前記第一タイミングよりも後で且つ荷物が前記受取人に配達される前の所定のタイミングである第二タイミングにおいて、前記指定車両の位置情報に関する第二情報を取得する第二取得部と、前記第二タイミングにおいて、前記第二取得部によって取得された前記第二情報に基づいて、前記配達人による荷物の配達が可能か否かを判断する第二判断部であって、該第二情報に基づく位置における前記指定車両に対して、荷物の配達が可能か否かを判断する第二判断部と、前記第二判断部によって、前記指定車両に対して荷物の配達ができないと判断された場合に、前記受取人に所定の第一通知情報を通知する第一通知部と、を備えてもよい。
【００２４】
また、本発明は、方法の側面から捉えることもできる。例えば、本発明は、コンピュータが、荷物が受取人に配達される前の所定のタイミングである第一タイミングにおいて、荷物の配達先となる指定車両の駐車予定位置であって、配達人によって荷物が配達されるときの該指定車両の駐車予定位置に関する第一情報を取得する第一取得ステップと、前記第一タイミングにおいて、前記第一取得ステップによって取得された前記第一情報に基づいて、前記配達人による荷物の配達が可能か否かを判断する第一判断ステップであって、該配達人による荷物の配達時に前記駐車予定位置に駐車された前記指定車両に対して、荷物の配達が可能か否かを判断する第一判断ステップと、前記指定車両の前記所定領域を施解錠するための認証情報を前記配達人の端末に発行する認証情報発行ステップと、を実行する情報処理方法において、前記コンピュータが、前記第一タイミングよりも後で且つ荷物が前記受取人に配達される前の所定のタイミングである第二タイミングにおいて、前記指定車両の位置情報に関する第二情報を取得する第二取得ステップと、前記第二タイミン
グにおいて、前記第二取得ステップによって取得された前記第二情報に基づいて、前記配達人による荷物の配達が可能か否かを判断する第二判断ステップであって、該第二情報に基づく位置における前記指定車両に対して、荷物の配達が可能か否かを判断する第二判断ステップと、前記第二判断ステップによって、前記指定車両に対して荷物の配達ができないと判断された場合に、前記受取人に所定の第一通知情報を通知する第一通知ステップと、を実行してもよい。
【００２５】
また、本発明は、プログラムの側面から捉えることもできる。例えば、本発明は、コンピュータに、荷物が受取人に配達される前の所定のタイミングである第一タイミングにおいて、荷物の配達先となる指定車両の駐車予定位置であって、配達人によって荷物が配達されるときの該指定車両の駐車予定位置に関する第一情報を取得する第一取得ステップと、前記第一タイミングにおいて、前記第一取得ステップによって取得された前記第一情報に基づいて、前記配達人による荷物の配達が可能か否かを判断する第一判断ステップであって、該配達人による荷物の配達時に前記駐車予定位置に駐車された前記指定車両に対して、荷物の配達が可能か否かを判断する第一判断ステップと、前記指定車両の前記所定領域を施解錠するための認証情報を前記配達人の端末に発行する認証情報発行ステップと、を実行させる情報処理プログラムにおいて、前記コンピュータに、前記第一タイミングよりも後で且つ荷物が前記受取人に配達される前の所定のタイミングである第二タイミングにおいて、前記指定車両の位置情報に関する第二情報を取得する第二取得ステップと、前記第二タイミングにおいて、前記第二取得ステップによって取得された前記第二情報に基づいて、前記配達人による荷物の配達が可能か否かを判断する第二判断ステップであって、該第二情報に基づく位置における前記指定車両に対して、荷物の配達が可能か否かを判断する第二判断ステップと、前記第二判断ステップによって、前記指定車両に対して荷物の配達ができないと判断された場合に、前記受取人に所定の第一通知情報を通知する第一通知ステップと、を実行させてもよい。
【００２６】
なお、上記処理や手段は、技術的な矛盾が生じない限りにおいて、自由に組み合わせて実施することができる。
【発明の効果】
【００２７】
本発明によれば、車両の所定領域が荷物の配達場所として利用されるシステムにおいて、該所定領域に荷物を配達することができなくなる事態を可及的に抑制することができる。
【図面の簡単な説明】
【００２８】
【図１】実施形態に係る配送システムの概略構成を示す図である。
【図２】車載装置、配達人ユーザ端末、センタサーバ、配送管理サーバの各ハードウェア構成を例示する図である。
【図３】配送管理サーバの機能構成を例示する図である。
【図４】第一情報テーブルの一例を示す図である。
【図５】第二情報テーブルの一例を示す図である。
【図６】第三情報テーブルの一例を示す図である。
【図７】センタサーバの機能構成を例示する図である。
【図８】配達人ユーザ端末の機能構成を例示する図である。
【図９】認証処理画面を例示する図である。
【図１０】第一の実施形態に係るトランクシェアシステムの動作の流れを例示する図である。
【図１１】第三の実施形態に係るトランクシェアシステムの動作の流れを例示する図である。
【発明を実施するための形態】
【００２９】
（第一の実施形態）
＜システム構成＞
図１は、本実施形態に係る配送システムの概略構成を示す図である。配送システム１は、集配荷物が所定の配送先へ配送される途中において、車両の荷室（トランク）が、荷物の配達場所として共有（シェア）されるシステムである。ここで、荷物の配達先となる車両を指定車両１０と称する。
【００３０】
図１の例では、配送システム１は、指定車両１０、指定車両１０に設置される車載装置１０Ａ、配達人ユーザ端末２００、受取人ユーザ装置２１０、センタサーバ４００、配送管理サーバ４１０を含む。車載装置１０Ａ、配達人ユーザ端末２００、受取人ユーザ装置２１０、センタサーバ４００、および配送管理サーバ４１０は、ネットワークＮ１によって相互に接続される。車載装置１０Ａは、近距離無線通信等を含むネットワークＮ２を介して、配達人ユーザ端末２００に接続される。
【００３１】
本実施形態では、配送システム１を利用して荷物の配達を要求するユーザ（受取人）が、受取人ユーザ装置２１０を用いて配達先の指定を行うとき、自身が所有する車両の荷室を配達先として指定する。ここで、受取人ユーザ装置２１０とは、例えば、受取人が有する携帯端末（スマートフォン、タブレット端末等）や一般的な構成を有するコンピュータである。なお、受取人が受取人ユーザ装置２１０を用いて配達先の指定を行うタイミングを、以下第一タイミングと称する。
【００３２】
配送管理サーバ４１０は、第一タイミングにおいて、配達人によって荷物が配達されるときの指定車両１０の駐車予定位置に関する第一情報を取得する。そして、配送管理サーバ４１０は、第一情報に基づいて、配達人による荷物の配達時に駐車予定位置に駐車された指定車両１０に対して、荷物の配達が可能か否かを判断する。このような判断がなされることによって、配達人が、指定車両１０の荷室に荷物を確実に配達することができるようにも思われる。しかしながら、実際に荷物が指定車両１０に配達されるときに、仮に該指定車両１０が駐車予定位置から移動されていた場合には、指定車両１０に対して荷物の配達ができなくなる虞がある。詳しくは、指定車両１０が駐車予定位置から移動された結果、実際に荷物が該指定車両１０に配達されるときに、該指定車両１０が、例えば、機械式駐車場に駐車されている場合、または、入場するのに権限が必要な駐車場へ駐車されている場合、または、該指定車両１０の周囲に荷物を運び入れるために必要なスペースが確保されていないような場所に駐車されている場合、該指定車両１０に対して荷物の配達ができなくなる。
【００３３】
そこで、配送管理サーバ４１０は、第一タイミングよりも後で且つ配達予定時刻よりも前の所定の時刻（以下、第二タイミング）において、指定車両１０の位置情報に関する第二情報を取得する。ここで、第二タイミングは、例えば、配達予定時刻近傍の時刻である。そして、配送管理サーバ４１０は、第二情報に基づいて、該第二情報に基づく位置における指定車両１０に対して、荷物の配達が可能か否かを判断する。
【００３４】
そして、配送管理サーバ４１０は、指定車両１０に対して荷物の配達ができないと判断した場合、受取人に所定の通知情報を通知する。なお、配送管理サーバ４１０は、指定車両１０に対する荷物の配達が可能と判断した場合にも、受取人に所定の通知情報を通知してもよい。そして、配送管理サーバ４１０は、指定車両１０の識別情報と配達人ユーザの識別情報をセンタサーバ４００に送信する。そして、指定車両１０を施解錠するための認証情報を配達人ユーザ端末２００に送信するように、センタサーバ４００に要求する。
【００３５】
センタサーバ４００は、配送管理サーバ４１０から送られた情報に基づいて、指定車両
１０の認証情報を配達人ユーザ端末２００に送信する。そうすると、配達人は、配達人ユーザ端末２００で受信した認証情報を使用して指定車両１０を施解錠することで、指定車両１０へ荷物を配達することができる。なお、認証情報は、センタサーバ４００から配送管理サーバ４１０に送信され、配送管理サーバ４１０から配達人ユーザ端末２００に送信されてもよい。ここで、認証情報は、配達人ユーザ端末２００から車載装置１０Ａに転送され、車載装置１０Ａによる認証を受けることで、車載装置１０Ａに指定車両１０の施解錠処理を実行させるデジタル情報である。また、指定車両１０の施解錠とは、指定車両１０の荷室のドアを施解錠することである。
【００３６】
＜ハードウェア構成＞
図２は、車載装置１０Ａ、配達人ユーザ端末２００、センタサーバ４００、配送管理サーバ４１０の各ハードウェア構成を例示する図である。キーユニット１００は、スマートキーの電子キーと同様の無線インターフェースを有しており、車載装置１０Ａが有する既設の施解錠装置３００と通信を行うことで、物理的な鍵を用いることなく指定車両１０の施解錠を行うことができる。また、キーユニット１００は、配達人ユーザ端末２００等の携帯端末（以下、配達人ユーザ端末２００等）と近距離無線通信を行い、配達人ユーザ端末２００等を認証した結果に基づいて、自身が指定車両１０の電子キーとして振る舞うか否かを決定する。
【００３７】
配達人ユーザ端末２００等から、キーユニット１００に送信される認証情報は、キーユニット１００に予め記憶された認証情報と照合される。認証が成功すると、配達人ユーザ端末２００等は認証される。配達人ユーザ端末２００等が認証されると、キーユニット１００は、キーユニット１００に予め記憶され、認証情報と対応付けられた指定車両１０の電子キーのＩＤ（以下、キーＩＤ）を、施解錠信号とともに施解錠装置３００に送信する。施解錠装置３００は、キーユニット１００から受信したキーＩＤが、施解錠装置３００に予め格納されるキーＩＤと一致する場合に指定車両１０を施解錠する。なお、キーユニット１００に予め記憶されるキーＩＤは、認証情報によって暗号化されたものであってもよい。この場合、キーユニット１００は、配達人ユーザ端末２００等の認証が成功すると、キーＩＤを認証情報によって復号してから施解錠装置３００に送信すればよい。
【００３８】
指定車両１０のユーザである受取人の端末は、キーユニット１００から認証を受けることができるマスター認証情報を記憶しており、受取人は指定車両１０を任意のタイミングで施解錠することができる。一方、配達人ユーザ端末２００は、指定車両１０の荷室にアクセスする際に、指定車両１０の施解錠をするための認証情報を、センタサーバ４００または配送管理サーバ４１０から受信する。なお、キーユニット１００および施解錠装置３００は、指定車両１０に搭載されるバッテリから供給される電力で動作する。
【００３９】
施解錠装置３００は、指定車両１０のドアを施錠および解錠するための装置であり、スマートキーシステムの一部を構成する既設の装置である。具体的には、ユーザが所持するスマートキーの電子キーから、高周波（Radio Frequency，以下、ＲＦと称する）帯の電
波を介して送信される施錠信号および解錠信号に応じて、指定車両１０のドアを施錠および解錠する。また、スマートキーの電子キーを検索するための、低周波（Low Frequency
，以下、ＬＦと称する）帯の電波を送信する機能を有している。
【００４０】
本実施形態では、電子キーの代わりに、キーユニット１００が施解錠装置３００との間でＲＦ帯およびＬＦ帯の電波を送受信することで、指定車両１０のドアの施解錠を制御する。以降、断りがない限り、施解錠装置３００の通信先をキーユニット１００に限定して説明を行う。
【００４１】
施解錠装置３００は、ＬＦ送信機３０１、ＲＦ受信機３０２、照合ＥＣＵ３０３、ボデ
ィＥＣＵ３０４、ドアロックモータ３０５を含んで構成される。ＬＦ送信機３０１は、キーユニット１００を検索（ポーリング）するための低周波数帯（例えば、１００ＫＨｚ〜３００ＫＨｚ）の電波を送信する手段である。ＬＦ送信機３０１は、例えば、車室内のセンターコンソールやハンドルの近傍に内蔵される。ＲＦ受信機３０２は、キーユニット１００から送信された高周波数帯（例えば、１００ＭＨｚ〜１ＧＨｚ）の電波を受信する手段である。ＲＦ受信機３０２は、車室内のいずれかの場所に内蔵される。
【００４２】
照合ＥＣＵ３０３は、キーユニット１００からＲＦ帯の電波を介して送信された信号（施錠信号または解錠信号）に基づいて、指定車両１０のドアを施錠および解錠する制御を行うコンピュータである。照合ＥＣＵ３０３は、例えば、マイクロコンピュータによって構成される。なお、以下の説明において、施錠信号と解錠信号を施解錠信号と総称する。施解錠信号という用語は、施錠信号と解錠信号の少なくともいずれかを表す。
【００４３】
照合ＥＣＵ３０３は、キーユニット１００から送信された施解錠信号が、正当な装置から送信されたものであることを認証する。具体的には、施解錠信号に含まれるキーＩＤが、照合ＥＣＵ３０３が有する記憶部に予め記憶されたキーＩＤと一致するか否かを判定する。そして、照合ＥＣＵ３０３は、この認証の結果に基づいて、ボディＥＣＵ３０４に解錠指令または施錠指令を送信する。この解錠指令または施錠指令は、ＣＡＮ（Controller
Area Network）等の車内ネットワークを介して送信される。
【００４４】
ボディＥＣＵ３０４は、指定車両１０のボディ制御を行うコンピュータである。ボディＥＣＵ３０４は、照合ＥＣＵ３０３から受信した解錠指令または施錠指令に基づいてドアロックモータ３０５を制御することで、指定車両１０のドアの解錠および施錠を行う機能を有している。ドアロックモータ３０５は、指定車両１０のドア（乗降用ドアやリアゲートのほか、トランクも含む）を施錠および解錠するアクチュエータである。ドアロックモータ３０５は、ボディＥＣＵ３０４から送信された信号に基づいて動作する。なお、照合ＥＣＵ３０３とボディＥＣＵ３０４とは一体のものであってもよい。
【００４５】
次に、キーユニット１００について説明する。キーユニット１００は、指定車両１０の車室内の所定の位置（例えばグローブボックス内）に配置された装置である。キーユニット１００は、配達人ユーザ端末２００等と近距離無線通信を行って該配達人ユーザ端末２００等を認証する機能と、この認証結果に基づいて、ＲＦ帯の電波を用いて施解錠信号を送信する機能を有している。キーユニット１００は、ＬＦ受信機１０１、ＲＦ送信機１０２、近距離通信部１０３、制御部１０４を有して構成される。
【００４６】
ＬＦ受信機１０１は、施解錠装置３００から、ＬＦ帯の電波を介して送信されたポーリング信号を受信する手段である。ＬＦ受信機１０１は、ＬＦ帯の電波を受信するためのアンテナ（以下、ＬＦアンテナ）を有している。ＲＦ送信機１０２は、ＲＦ帯の電波を介して、キーユニット１００に対して施解錠信号を送信する手段である。
【００４７】
近距離通信部１０３は、配達人ユーザ端末２００等と通信を行う手段である。近距離通信部１０３は、所定の無線通信規格を用いて、近距離（車室内と車室外で通信が行える程度）における通信を行う。
【００４８】
本実施形態では、近距離通信部１０３は、Ｂｌｕｅｔｏｏｔｈ（登録商標）ＬｏｗＥｎｅｒｇｙ規格（以下、ＢＬＥ）によるデータ通信を行う。ＢＬＥとは、Ｂｌｕｅｔｏｏｔｈによる低電力通信規格であり、機器同士のペアリングを必要とせず、相手を検知することですぐに通信を開始できるという特徴を有する。なお、本実施形態ではＢＬＥを例示するが、他の無線通信規格も利用可能である。例えば、ＮＦＣ（Near Field Communication）、ＵＷＢ（Ultra Wideband）、ＷｉＦｉ（登録商標）などを利用することもできる。
【００４９】
制御部１０４は、近距離通信部１０３を介して配達人ユーザ端末２００等と近距離無線通信を行い、配達人ユーザ端末２００等を認証する制御と、認証結果に基づいて施解錠信号を送信する制御を行うコンピュータである。制御部１０４は、例えば、マイクロコンピュータによって構成される。
【００５０】
制御部１０４は、記憶部１０４１および認証部１０４２を有している。記憶部１０４１には、キーユニット１００を制御するための制御プログラムが記憶されている。制御部１０４は、記憶部１０４１に記憶されている制御プログラムをＣＰＵ（不図示）によって実行することで、認証部１０４２を含む種々の機能を実現してもよい。例えば、制御部１０４は、施解錠装置３００からＬＦ帯の電波として送信されたポーリング信号を、ＬＦ受信機１０１を介して受信する機能、施解錠装置３００にＲＦ帯の電波として施解錠信号を、ＲＦ送信機１０２を介して送信する機能、近距離通信部１０３を介して行う配達人ユーザ端末２００等との通信を処理する機能、認証部１０４２による配達人ユーザ端末２００等の認証が成功した場合に施解錠信号を生成する機能等を実現する。
【００５１】
認証部１０４２は、配達人ユーザ端末２００等から送信された施錠要求または解錠要求（以下、施解錠要求と総称する）に含まれる認証情報に基づいて、配達人ユーザ端末２００等の認証を行う。具体的には、記憶部１０４１に記憶された認証情報と、配達人ユーザ端末２００等から送信された認証情報とを比較し、これらが所定の関係にある場合に、認証成功と判断する。双方の認証情報が一致しない場合、認証失敗と判断する。ここで、所定の関係とは、記憶部１０４１に記憶された認証情報と、配達人ユーザ端末２００等から送信された認証情報とが一致する場合のほか、２つの認証情報を用いた所定の暗号化・複合化等の処理結果が一致する場合、２つの認証情報の一方に復号処理を行った結果が他方に一致する場合等を含む。認証部１０４２が配達人ユーザ端末２００等の認証に成功した場合、配達人ユーザ端末２００等から受信した要求に応じて生された施解錠信号がＲＦ送信機１０２を介して施解錠装置３００へ送信される。
【００５２】
また、キーユニット１００は、施解錠信号とともに、キーＩＤを施解錠装置３００に送信する。キーＩＤは、平文の状態で予めキーユニット１００に記憶されていてもよいし、配達人ユーザ端末２００等に固有な暗号によって暗号化した状態で記憶されていてもよい。キーＩＤが暗号化した状態で記憶される場合、配達人ユーザ端末２００等から送信された認証情報によって暗号化されたキーＩＤを復号し、本来のキーＩＤを得るようにしてもよい。
【００５３】
配送管理サーバ４１０は、一般的なコンピュータの構成を有している。配送管理サーバ４１０は、プロセッサ４１１、主記憶部４１２、補助記憶部４１３、通信部４１４を有する。これらは、互いにバスによって接続される。主記憶部４１２および補助記憶部４１３は、コンピュータ読み取り可能な記録媒体である。コンピュータのハードウェア構成は、図２に示される例に限らず、適宜構成要素の省略、置換、追加が行われてもよい。
【００５４】
配送管理サーバ４１０は、プロセッサ４１１が記録媒体に記憶されたプログラムを主記憶部４１２の作業領域にロードして実行し、プログラムの実行を通じて各構成部等が制御されることによって、所定の目的に合致した機能を実現することができる。
【００５５】
プロセッサ４１１は、例えば、ＣＰＵ（Central Processing Unit）やＤＳＰ（Digital
Signal Processor）である。プロセッサ４１１は、配送管理サーバ４１０を制御し、様
々な情報処理の演算を行う。主記憶部４１２は、例えば、ＲＡＭ（Random Access Memory）やＲＯＭ（Read Only Memory）を含む。補助記憶部４１３は、例えば、ＥＰＲＯＭ（Erasable Programmable ROM）、ハードディスクドライブ（ＨＤＤ、Hard Disk Drive）であ
る。また、補助記憶部４１３は、リムーバブルメディア、即ち可搬記録媒体を含むことができる。リムーバブルメディアは、例えば、ＵＳＢ（Universal Serial Bus）メモリ、あるいは、ＣＤ（Compact Disc）やＤＶＤ（Digital Versatile Disc）のようなディスク記録媒体である。
【００５６】
補助記憶部４１３は、各種のプログラム、各種のデータおよび各種のテーブルを読み書き自在に記録媒体に格納する。補助記憶部４１３には、オペレーティングシステム（Operating System :ＯＳ）、各種プログラム、各種テーブル等が格納される。補助記憶部４１３に格納される情報は、主記憶部４１２に格納されてもよい。また、主記憶部４１２に格納される情報は、補助記憶部４１３に格納されてもよい。
【００５７】
通信部４１４は、他の装置と接続し、配送管理サーバ４１０と他の装置との間の通信を制御する。通信部４１４は、例えば、ＬＡＮ（Local Area Network）インターフェースボード、無線通信のための無線通信回路である。ＬＡＮインターフェースボードや無線通信回路は、公衆通信網であるインターネット等のネットワークＮ１に接続される。
【００５８】
配送管理サーバ４１０で実行される一連の処理は、ハードウェアにより実行させることもできるが、ソフトウェアにより実行させることもできる。
【００５９】
センタサーバ４００は、配送管理サーバ４１０と同様に、プロセッサ４０１、主記憶部４０２、補助記憶部４０３、通信部４０４を有する。プロセッサ４０１、主記憶部４０２、補助記憶部４０３、通信部４０４は、配送管理サーバ４１０のプロセッサ４１１、主記憶部４１２、補助記憶部４１３、通信部４１４と同様であるため、説明は省略される。
【００６０】
配達人ユーザ端末２００は、例えば、スマートフォン、携帯電話、タブレット端末、個人情報端末、ウェアラブルコンピュータ（スマートウォッチ等）といった小型のコンピュータである。なお、本実施形態では、受取人ユーザ装置２１０が、配達人ユーザ端末２００と同一のハードウェア構成を有するユーザ端末であってもよい。
【００６１】
配達人ユーザ端末２００は、プロセッサ２０１、主記憶部２０２、補助記憶部２０３、表示部２０４、入力部２０５、通信部２０６Ａ、通信部２０６Ｂ、近距離通信部２０６Ｃを有する。プロセッサ２０１、主記憶部２０２、補助記憶部２０３については、配送管理サーバ４１０のプロセッサ４１１、主記憶部４１２、補助記憶部４１３と同様であるため、説明は省略される。表示部２０４は、例えば、ＬＣＤ（Liquid Crystal Display）、ＥＬ（Electroluminescence）パネル等である。入力部２０５は、タッチパネル、押しボタ
ン等を含む。また、入力部２０５は、カメラのような映像や画像の入力部や、マイクロフォンのような音声の入力部を含むことができる。通信部２０６Ａは、例えば、基地局を末端とする携帯電網等を通じてインターネットにアクセスするための通信回路である。通信部２０６Ｂは、例えば、無線または有線のＬＡＮ等を通してインターネットにアクセスし、配送管理サーバ４１０等とデータ通信をするための通信回路である。近距離通信部２０６Ｃは、所定の通信規格に従い、近距離通信をするための通信回路である。所定の通信規格は、例えば、ＢＬＥ、ＮＦＣ等である。
【００６２】
ネットワークＮ１は、例えば、インターネット等の世界規模の公衆通信網でありＷＡＮ（Ｗｉｄｅ  Ａｒｅａ  Ｎｅｔｗｏｒｋ）やその他の通信網が採用されてもよい。また、ネットワークＮ１は、携帯電話等の電話通信網、ＷｉＦｉ等の無線通信網を含んでもよい。配達人ユーザ端末２００は、携帯電話等の電話通信網、またはＷｉＦｉ等の無線通信を通じてインターネットにアクセス可能である。ネットワークＮ２は、配達人ユーザ端末２００が車載装置１０Ａと通信するＢＬＥ等のための通信網を含む。配達人ユーザ端末２００は、ＢＬＥ通信により車載装置１０Ａと通信することが可能である。
【００６３】
＜配送管理サーバの機能構成＞
図３は、配送管理サーバの機能構成を例示する図である。配送管理サーバ４１０は、機能構成要素として、第一情報取得部Ｆ１１、第一判断部Ｆ１２、第二情報取得部Ｆ１３、第三情報取得部Ｆ１４、第二判断部Ｆ１５、通知情報生成部Ｆ１６、通知情報送信部Ｆ１７、応答取得部Ｆ１８、認証情報要求部Ｆ１９、第一情報データベースＤ１１、第二情報データベースＤ１２、第三情報データベースＤ１３を備える。配送管理サーバ４１０のプロセッサ４１１は、主記憶部４１２上のコンピュータプログラムにより、第一情報取得部Ｆ１１、第一判断部Ｆ１２、第二情報取得部Ｆ１３、第三情報取得部Ｆ１４、第二判断部Ｆ１５、通知情報生成部Ｆ１６、通知情報送信部Ｆ１７、応答取得部Ｆ１８、認証情報要求部Ｆ１９の処理を実行する。ただし、各機能構成素のいずれか、またはその処理の一部がハードウェア回路により実行されてもよい。
【００６４】
第一情報データベースＤ１１、第二情報データベースＤ１２、第三情報データベースＤ１３は、プロセッサ４１１によって実行されるデータベース管理システム（Ｄａｔａｂａｓｅ  Ｍａｎａｇｅｍｅｎｔ  Ｓｙｓｔｅｍ、ＤＢＭＳ）のプログラムが、補助記憶部４１３に記憶されるデータを管理することで構築される。第一情報データベースＤ１１、第二情報データベースＤ１２、第三情報データベースＤ１３は、例えば、リレーショナルデータベースである。
【００６５】
なお、配送管理サーバ４１０の各機能構成素のいずれか、またはその処理の一部は、センタサーバ４００、またはネットワークＮ１に接続される他のコンピュータにより実行されてもよい。
【００６６】
第一情報取得部Ｆ１１は、配送システム１を利用して荷物の配達を要求するユーザ（受取人）からの第一情報を取得する。ここで、第一情報とは、配達人によって荷物が配達されるときの指定車両１０の駐車予定位置に関する情報であって、第一情報には、該駐車予定位置、該駐車予定位置の駐車場情報（平面・機械式といった駐車場形式、駐車スペースの大きさ、駐車場へ入場するのに権限が必要か否か等）が含まれる。受取人は、荷物の配達先に車両の荷室を指定するとき、配送システム１によるサービスを利用するためのアプリケーション（以下、所定のアプリともいう）を用いて、第一情報も指定することができる。なお、第一情報取得部Ｆ１１が、本発明に係る第一取得手段に相当する。
【００６７】
第一判断部Ｆ１２は、第一情報に基づいて、配達人による指定車両１０の荷室への荷物の配達が可能か否かを判断する。例えば、第一情報取得部Ｆ１１によって取得された駐車予定位置の駐車場形式が仮に機械式であった場合、指定車両１０に対して荷物の配達ができないと判断する。この場合、後述する通知情報送信部Ｆ１７によって、その旨が受取人に通知される。例えば、受取人は、指定車両１０の荷室への荷物の配達が可能な場所を、駐車予定位置として指定するように促される。そうすると、受取人は、変更した駐車予定位置を指定することができる。そして、第一判断部Ｆ１２は、変更された第一情報に基づいて再度上記を判断する。そして、指定車両１０に対する荷物の配達が可能と判断されると、そのときの第一情報が第一情報データベースＤ１１に登録される。なお、第一判断部Ｆ１２が、本発明に係る第一判断手段に相当する。
【００６８】
第二情報取得部Ｆ１３は、第二情報を取得する。ここで、第二情報とは、指定車両１０の位置情報に関する情報であって、本実施形態では、上記の第二タイミングにおける指定車両１０の位置情報である。この位置情報は、例えば、車載装置１０Ａが備えるＧＰＳ装置（図示なし）によって、ＧＰＳ衛星からの信号を受信して算出される。第二情報取得部Ｆ１３は、取得した第二情報を、第二情報データベースＤ１２に登録する。なお、第二情報取得部Ｆ１３が、本発明に係る第二取得手段に相当する。
【００６９】
第三情報取得部Ｆ１４は、第三情報を取得する。ここで、第三情報とは、駐車場に関する所定の情報であって、該第三情報には、駐車場の位置、駐車場形式、駐車スペースの大きさ、駐車場へ入場するのに権限が必要か否か等の情報が含まれる。第三情報取得部Ｆ１４は、所定の地図情報に含まれる各駐車場について、このような第三情報を予め取得する。第三情報取得部Ｆ１４は、取得した第三情報を、第三情報データベースＤ１３に登録する。なお、第三情報取得部Ｆ１４が、本発明に係る第三取得手段に相当する。
【００７０】
第二判断部Ｆ１５は、第二情報取得部Ｆ１３によって取得され、第二情報データベースＤ１２に登録された第二情報と、第三情報取得部Ｆ１４によって取得され、第三情報データベースＤ１３に登録された第三情報と、に基づいて、配達人による指定車両１０の荷室への荷物の配達が可能か否かを判断する。詳しくは、第二判断部Ｆ１５は、指定車両１０の現在位置情報と、所定の地図情報に含まれる駐車場位置情報とを照合し、現在位置情報に対応する駐車場を特定する。更に、このように特定された駐車場と第三情報とを照合する。そして、例えば、特定された駐車場の駐車場形式が仮に機械式であった場合、指定車両１０に対して荷物の配達ができないと判断する。このような第二判断部Ｆ１５による判断結果は、後述する通知情報生成部Ｆ１６に受け渡される。なお、第二判断部Ｆ１５が、本発明に係る第二判断手段に相当する。
【００７１】
通知情報生成部Ｆ１６は、受取人または配達人に通知する所定の通知情報を生成する。ここで、所定の通知情報とは、第一判断部Ｆ１２または第二判断部Ｆ１５による判断結果に基づく情報であったり、配達人に対する指定車両１０の情報であったりするが、詳細については後述する。そして、通知情報送信部Ｆ１７が、受取人または配達人に、通知情報生成部Ｆ１６によって生成された通知情報を通知する。通知情報送信部Ｆ１７は、配達人ユーザ端末２００または受取人ユーザ装置２１０に通知情報を送信することによって、受取人または配達人に該情報を通知することができる。なお、通知情報生成部Ｆ１６および通知情報送信部Ｆ１７が、本発明に係る第一通知手段および第二通知手段に相当する。
【００７２】
応答取得部Ｆ１８は、所定の通知情報が通知された受取人からの応答を取得する。なお、詳細については後述する。
【００７３】
認証情報要求部Ｆ１９は、指定車両１０を施解錠するための認証情報を配達人ユーザ端末２００に送信するように、センタサーバ４００に要求する。
【００７４】
第一情報データベースＤ１１は、第一情報を格納するデータベースである。第一情報データベースＤ１１は、図４に示す第一情報テーブルを有する。なお、第一情報テーブルに格納される情報は、図４に示す例に限られず、適宜フィールドの追加、変更、削除が可能である。また、受取人ユーザの識別情報は、個別のテーブルで管理されるようにしてもよい。
【００７５】
図４に示す第一情報テーブルは、ユーザＩＤ、氏名（および連絡先）、車両ＩＤ、車両番号、車種、色、駐車予定位置（および位置情報）、駐車場情報のフィールドを有する。ユーザＩＤは、受取人ユーザを識別するＩＤである。氏名は、受取人ユーザの氏名である。連絡先は、例えば、受取人ユーザの携帯番号または電子メールアドレスである。車両ＩＤは、車両を識別するＩＤである。車両番号、車種、色は、車両を特定するための情報であって、車両番号毎に車両ＩＤが設定される。なお、車両ＩＤは、センタサーバ４００において、車両の認証情報と予め対応付けられている。駐車予定位置は、配達人によって荷物が配達されるときに指定車両１０が駐車している予定の位置であって、例えば自宅や会社等がその住所と併せて指定されている。駐車場情報は、駐車予定位置の駐車場情報であって、駐車場形式、駐車スペースの大きさ、駐車場へ入場するのに権限が必要か否か等の
情報である。なお、上述したように、指定車両１０に対する荷物の配達が可能と判断された駐車予定位置が、第一情報として第一情報データベースＤ１１に登録されるため、駐車場情報に登録される駐車場形式は平面で且つ入場権限は不要となる。
【００７６】
第二情報データベースＤ１２は、第二情報を格納するデータベースである。第二情報データベースＤ１２は、図５に示す第二情報テーブルを有する。なお、第二情報テーブルに格納される情報は、図５に示す例に限られず、適宜フィールドの追加、変更、削除が可能である。また、受取人ユーザの識別情報は、個別のテーブルで管理されるようにしてもよい。
【００７７】
図５に示す第二情報テーブルは、ユーザＩＤ、氏名（および連絡先）、車両ＩＤ、車両番号、車種、色、現在位置情報のフィールドを有する。ユーザＩＤ、氏名（および連絡先）、車両ＩＤ、車両番号、車種、色のフィールドは、上記の図４の説明で述べたとおりである。現在位置情報は、上記の第二タイミングにおける指定車両１０の位置情報である。
【００７８】
第三情報データベースＤ１３は、第三情報を格納するデータベースである。第三情報データベースＤ１３は、図６に示す第三情報テーブルを有する。なお、第三情報テーブルに格納される情報は、図６に示す例に限られず、適宜フィールドの追加、変更、削除が可能である。
【００７９】
図６に示す第三情報テーブルは、駐車場ＩＤ、位置、形式、大きさ、権限のフィールドを有する。駐車場ＩＤは、所定の地図情報に含まれる各駐車場を識別するためのＩＤである。位置は、駐車場の位置である。形式は、平面式・機械式といった駐車場形式である。大きさは、駐車スペースの大きさである。権限は、駐車場へ入場するのに権限が必要か否かの情報である。
【００８０】
＜センタサーバの機能構成＞
図７は、センタサーバの機能構成を例示する図である。センタサーバ４００は、機能構成要素として、認証情報管理部Ｆ２１、ユーザ情報データベースＤ２１、認証情報データベースＤ２２を備える。センタサーバ４００のプロセッサ４０１は、コンピュータプログラムにより、認証情報管理部Ｆ２１、ユーザ情報データベースＤ２１、認証情報データベースＤ２２の処理を実行する。ただし、各機能構成要素のいずれか、またはその処理の一部がハードウェア回路により実行されてもよい。
【００８１】
なお、センタサーバ４００の各機能構成素のいずれか、またはその処理の一部は、配送管理サーバ４１０またはネットワークＮ１に接続される他のコンピュータにより実行されてもよい。
【００８２】
認証情報管理部Ｆ２１は、配送管理サーバ４１０から、認証情報の送信要求を受付ける。認証情報管理部Ｆ２１は、認証情報の送信要求とともに、認証情報の送信先であるユーザ端末の情報や、施解錠の対象である車両の識別情報を受信する。認証情報管理部Ｆ２１は、施解錠の対象である車両のキーユニットに対応する認証情報（端末認証情報）を、ユーザ端末に送信する。認証情報は、配送管理サーバ４１０に送信され、配送管理サーバ４１０からユーザ端末に配信されてもよい。
【００８３】
ユーザ情報データベースＤ２１は、ユーザの識別情報、ユーザに対応づけられた車両の識別情報等を格納する。また、認証情報データベースＤ２２は、車両の認証情報を格納する。車両の認証情報は、車両の識別情報に対応づけられた情報であり、例えば、車載装置が有するキーユニットに固有の情報とすることができる。
【００８４】
＜配達人ユーザ端末の機能構成＞
図８は、配達人ユーザ端末の機能構成を例示する図である。配達人ユーザ端末２００は、機能構成要素として、通知情報受信部Ｆ３１、認証処理部Ｆ３２を備える。配達人ユーザ端末２００のプロセッサ２０１は、主記憶部２０２上のコンピュータプログラムにより、通知情報受信部Ｆ３１、認証処理部Ｆ３２の処理を実行する。ただし、各機能構成要素のいずれか、またはその処理の一部がハードウェア回路により実行されてもよい。
【００８５】
通知情報受信部Ｆ３１は、配送管理サーバ４１０から送信された通知情報を受信する。そして、通知情報受信部Ｆ３１は、受信した通知情報を、配達人ユーザ端末２００に表示させる。なお、配達人ユーザ端末２００に表示される情報とは、例えば、指定車両１０の駐車位置および指定車両１０の車両番号等である。ここで、指定車両１０の駐車位置は、住所によって表示されてもよいし、所定のアプリと関連付けられた地図アプリへリンクするためのアドレスによって表示されてもよい。この場合、配達人は、地図アプリにより表示される地図によって、指定車両１０の駐車位置を確認することができる。
【００８６】
認証処理部Ｆ３２は、指定車両１０のキーユニット１００から認証を受けるための認証情報を受信する。また、認証処理部Ｆ３２は、配達人が受信した認証情報によって、指定車両１０の解錠または施錠を実行するためのインターフェースを提供する。配達人は、例えば、図９に例示する認証処理画面ＳＣ１での操作により、車両の解錠または施錠を実行することができる。
【００８７】
図９は、認証処理画面を例示する図である。図９に例示する認証処理画面ＳＣ１は、指定車両１０の解錠を実行するための画面である。認証処理画面ＳＣ１には、受取人氏名ＳＣ１１、車両番号ＳＣ１２、車種ＳＣ１３、色ＳＣ１４、「はい」のラベルが付された解錠ボタンＳＣ１５、および「いいえ」のラベルが付されたキャンセルボタンＳＣ１６が示される。配達人は、認証処理画面ＳＣ１に示された車両番号ＳＣ１２、車種ＳＣ１３、色ＳＣ１４に基づいて、指定車両１０を特定することができる。
【００８８】
解錠ボタンＳＣ１５が押下されると、キーユニット１００の近距離通信部１０３は、配達人ユーザ端末２００から認証情報を受信する。キーユニット１００の認証部１０４２は、受信した認証情報を、記憶部１０４１に格納されている認証情報と照合することにより認証処理を実行する。認証が成功すると、キーユニット１００の認証部１０４２は、施解錠装置３００に対し、認証情報と対応付けられたキーＩＤとともに解錠信号を送信し、キーＩＤの認証が成功すると、指定車両１０が解錠される。
【００８９】
＜処理の流れ＞
図１０は、本実施形態に係る配送システムの動作の流れを例示する図である。図１０は、配送システム１における、各構成要素間の動作の流れ、および各構成要素が実行する処理を説明する。
【００９０】
本実施形態では、予め、配送管理サーバ４１０が第三情報を取得し、取得した第三情報を第三情報データベースＤ１３に登録する（Ｓ１０）。配送管理サーバ４１０は、所定の地図情報に含まれる各駐車場について、第三情報を取得することができる。
【００９１】
配送システム１を利用して荷物の配達を要求するユーザ（受取人）は、受取人ユーザ装置２１０を用いて、配達先の指定を行う（Ｓ１１）。本実施形態では、受取人は、自身が所有する車両の荷室を配達先として指定し、それと併せて第一情報（駐車予定位置、駐車予定位置の駐車場情報）を指定する。第一情報は、受取人ユーザ装置２１０によって、配送管理サーバ４１０に送信される（Ｓ１２）。配送管理サーバ４１０は、第一情報を取得し、取得した第一情報を第一情報データベースＤ１１に登録する（Ｓ１３）。このとき、
上述したように、第一判断部Ｆ１２が、受取人ユーザ装置２１０から送信された第一情報に基づいて、配達人による指定車両１０の荷室への荷物の配達が可能か否かを判断する。そして、指定車両１０に対する荷物の配達が可能と判断されると、そのときの第一情報が第一情報データベースＤ１１に登録される。
【００９２】
配送管理サーバ４１０は、第二タイミングにおいて第二情報を取得し、取得した第二情報を第二情報データベースＤ１２に登録する（Ｓ１５）。なお、第二タイミングとは、上述したように、第一タイミングよりも後で且つ配達予定時刻よりも前の所定の時刻であって、例えば、配達予定時刻近傍の時刻である。また、本実施形態における第二情報は、上述したように、第二タイミングにおける指定車両１０の位置情報である。例えば、第二タイミングにおいて配送管理サーバ４１０から車載装置１０Ａへ該第二情報の送信要求がなされると、車載装置１０Ａが備えるＧＰＳ装置が、そのときの指定車両１０の位置情報を算出する。ここで、仮に指定車両１０が移動中である場合には、指定車両１０の位置がその後変化してしまう。そこで、本実施形態では、指定車両１０が駐車状態であるときに、該指定車両１０の位置情報が算出される。そして、このようにして算出された指定車両１０の位置情報が、車載装置１０Ａから配送管理サーバ４１０に送信されることで（Ｓ１４）、配送管理サーバ４１０が第二情報を取得することができる。なお、指定車両１０のシステム電源がオフにされたとき、指定車両１０が備えるエンジンがオフにされたとき、指定車両１０が備えるパーキングブレーキがオンにされたとき、または指定車両１０が所定時間以上停車されたときに、指定車両１０が駐車状態であると判断することができる。
【００９３】
そして、配送管理サーバ４１０は、第二情報データベースＤ１２に登録された第二情報と、第三情報データベースＤ１３に登録された第三情報と、に基づいて、配達人による指定車両１０の荷室への荷物の配達が可能か否かを判断する（Ｓ１６）。上記判断は、第二判断部Ｆ１５によって行われ、その詳細は上述したとおりである。
【００９４】
そして、配送管理サーバ４１０は、Ｓ１６で判断した判断結果に基づいて、通知情報を生成する（Ｓ１７）。ここで、Ｓ１６の処理において、第二情報に基づく位置（第二タイミングにおける指定車両１０の位置）が駐車予定位置と同じであるため、指定車両１０に対する荷物の配達が可能と判断された場合、Ｓ１７の処理では、駐車予定位置における指定車両１０に対して荷物の配達が可能である旨の通知情報が生成される。または、Ｓ１６の処理において、第二情報に基づく位置（第二タイミングにおける指定車両１０の位置）が駐車予定位置とは異なるものの、第二情報に基づく位置における指定車両１０に対する荷物の配達が可能と判断された場合、Ｓ１７の処理では、第二情報に基づく位置における指定車両１０に対して荷物の配達が可能である旨の通知情報が生成される。そして、配送管理サーバ４１０は、このように生成した通知情報を、受取人ユーザ装置２１０に送信する（Ｓ１８）。
【００９５】
一方、第二情報に基づく位置（第二タイミングにおける指定車両１０の位置）が駐車予定位置と異なっており、Ｓ１６の処理において、第二情報に基づく位置における指定車両１０に対して荷物の配達ができないと判断された場合、Ｓ１７の処理では、指定車両１０に対して荷物の配達ができない旨の通知情報が生成される。そして、配送管理サーバ４１０は、このように生成した通知情報を、受取人ユーザ装置２１０に送信する（Ｓ１８）。
【００９６】
通知情報が通知された受取人は、該通知情報に対する応答を、受取人ユーザ装置２１０を用いて配送管理サーバ４１０へ送信する（Ｓ１９）。例えば、駐車予定位置における指定車両１０、または第二情報に基づく位置における指定車両１０に対して荷物の配達が可能である旨の情報が通知された受取人は、それに同意する応答をすることができる。一方、指定車両１０に対して荷物の配達ができない旨の情報が通知された受取人は、例えば、指定車両１０の荷室への荷物の配達が可能な場所に指定車両１０を移動し、その旨を配送
管理サーバ４１０に対して応答することができる。または、配達日時や配達場所を改めて指定する応答をすることができる。そして、配送管理サーバ４１０は、受取人ユーザ装置２１０から送信された応答を応答情報として取得する（Ｓ２０）。なお、配送管理サーバ４１０は、取得した応答情報に基づいて、指定車両１０の荷室への荷物の配達が可能か否かを再度判断してもよい。これにより、実際に荷物が配達されるときに、指定車両１０が、第一タイミングにおいて指定された駐車予定位置から移動されていたとしても、好適に荷物の配達が行われる。
【００９７】
そして、配送管理サーバ４１０は、センタサーバ４００に対し、指定車両１０の識別情報、および認証情報の送信先となる配達人ユーザ端末２００の情報を送信し、認証情報を配達人ユーザ端末２００に送信することを要求する（Ｓ２１）。センタサーバ４００は、認証情報の送信要求を受信すると、受信した指定車両１０の識別情報に基づき、認証情報を発行する（Ｓ２２）。センタサーバ４００は、発行した認証情報を配達人ユーザ端末２００に送信する（Ｓ２３）。
【００９８】
配達人ユーザ端末２００は、配達人ユーザ端末２００に送信された認証情報を、指定車両１０の車載装置１０Ａ（キーユニット１００）に送信し、解錠を要求する。認証情報による配達人ユーザ端末２００の認証が成功すると、指定車両１０は解錠される（Ｓ２４）。これにより、配達人が指定車両１０の荷室へ荷物を配達することが可能となる。そして、配達人は、指定車両１０の荷室へ荷物を配達すると、指定車両１０を施錠することができる（Ｓ２４）。配達人は、指定車両１０の荷室への荷物の配達が完了すると、配達人ユーザ端末２００における所定のアプリを用いて、配送管理サーバ４１０へ配送完了通知を送信することができる（Ｓ２５）。
【００９９】
配送管理サーバ４１０は、配達人ユーザ端末２００から、配達完了の通知を受信すると、センタサーバ４００に対し、Ｓ２３で送信された認証情報の失効を要求する（Ｓ２６）。そうすると、センタサーバ４００は、認証情報を失効させる（Ｓ２７）。配送管理サーバ４１０または配達人ユーザ端末２００は、センタサーバ４００からの指示により、センタサーバ４００から受信した認証情報を削除することで認証情報を失効させることができる。センタサーバ４００は、認証情報の失効有無を管理することで、認証情報が二重に発行されないようにするための排他制御をしたり、認証情報を更新してキーユニット１００に更新後の認証情報を通知したりすることが可能となる。そして、認証情報の失効が完了すると、配送管理サーバ４１０から配達人ユーザ端末２００および受取人ユーザ装置２１０へ完了の通知がされる（Ｓ２８、Ｓ２９）。
【０１００】
なお、図１０に示した処理の流れでは、第二タイミングにおける指定車両１０の位置情報（第二情報）と、第三情報と、に基づいて、配達人による指定車両１０の荷室への荷物の配達が可能か否かが判断されるが、本実施形態では、これに限定する意図はない。例えば、配送管理サーバ４１０は、第二タイミングにおいて、受取人ユーザ装置２１０を介して受取人に対して駐車予定位置の確認を行い、それに対する受取人からの応答を第二情報として取得してもよい。そして、該第二情報に基づいて上記の判断を行ってもよい。このとき、仮に受取人によって駐車予定位置が変更された場合には、配送管理サーバ４１０は、変更された駐車予定位置を第二情報として取得する。
【０１０１】
以上に述べた配送システム１によれば、実際に荷物が配達されるときに、指定車両１０が、第一タイミングにおいて指定された駐車予定位置から移動されていたとしても、好適に荷物の配達を行うことができ、以て、車両の荷室に荷物を配達することができなくなる事態を可及的に抑制することが可能となる。
【０１０２】
＜記録媒体＞
コンピュータその他の機械、装置（以下、コンピュータ等）に上述したいずれかの機能を実現させるプログラムをコンピュータ等が読み取り可能な記録媒体に記録することができる。コンピュータ等に、この記録媒体のプログラムを読み込ませて実行させることにより、その機能を提供させることができる。
【０１０３】
ここで、コンピュータ等が読み取り可能な記録媒体とは、データやプログラム等の情報を電気的、磁気的、光学的、機械的、又は化学的作用によって蓄積し、コンピュータ等から読み取ることができる非一時的な記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、コンピュータ等に固定された記録媒体としてハードディスク、ＲＯＭ（リードオンリーメモリ）等がある。さらに、ＳＳＤ（Solid State Drive）は、コンピュータ等から取り外し可能な記録媒体としても、コン
ピュータ等に固定された記録媒体としても利用可能である。
【０１０４】
（第一の実施形態の変形例１）
上述した第一の実施形態では、キーユニット１００において認証処理が成功した場合に、施解錠装置３００によって指定車両１０が解錠される例を説明したが、本変形例では、施解錠装置３００において、キーユニット１００における処理が実行されるようにしてもよい。即ち、施解錠装置３００は、配達人ユーザ端末２００から受信した認証情報を認証するための制御ユニットを備え、当該制御ユニットは、配達人ユーザ端末２００認証が成功すると、ＣＡＮ等の車内ネットワークを介して、ボディＥＣＵ３０４に解錠指令または施錠指令を送信するようにしてもよい。
【０１０５】
本変形例の配送システム１によれば、キーユニット１００を設置することなく簡易な構成により、荷物の配達を行うことができる。
【０１０６】
（第一の実施形態の変形例２）
上述した第一の実施形態では、配達人ユーザ端末２００がセンタサーバ４００から認証情報を受信し、受信した認証情報に基づいて配達人ユーザ端末２００が認証されると、キーユニット１００から施解錠信号が施解錠装置３００に送信され、指定車両１０は施解錠される。本変形例では、認証情報は、配達人ユーザ端末２００を認証するための情報ではなく、指定車両１０を解施錠するためのキーＩＤの情報を含むものとする例である。
【０１０７】
この場合、配達人ユーザ端末２００は、指定車両１０を施解錠するためのキーＩＤを含む認証情報をセンタサーバ４００から受信し、受信したキーＩＤを施解錠信号とともに、施解錠装置３００に送信する。施解錠装置３００は、受信したキーＩＤを施解錠装置３００に予め記憶されたキーＩＤと照合し、一致した場合に指定車両１０を施解錠する。なお、キーＩＤは、配達人ユーザ端末２００と、センタサーバ４００または施解錠装置３００との間で、暗号化をして送受信される。センタサーバ４００の認証情報管理部Ｆ２１は、例えば、キーＩＤを時刻情報とともに所定のアルゴリズムで暗号化することで、ワンタイムキーを生成してもよい。施解錠装置３００は、受信したワンタイムキーを、センタサーバ４００と同じ所定のアルゴリズムによって復号し、施解錠装置３００に予め記憶されたキーＩＤと照合する。なお、ワンタイムキーは、センタサーバ４００から配送管理サーバ４１０に送信され、配送管理サーバ４１０から配達人ユーザ端末２００に送信されるようにしてもよい。
【０１０８】
キーＩＤおよび時刻情報から生成されるワンタームキーを認証情報に含めることで、センタサーバ４００は、利用要求ごとに、一時的に有効な認証情報を生成し、配達人ユーザ端末２００に送信することができる。
【０１０９】
（第一の実施形態の変形例３）
上述した第一の実施形態および第一の実施形態の変形例２では、センタサーバ４００は、配達人ユーザ端末２００に、キーユニット１００に固有な固定の認証情報に対応する配達人ユーザ端末２００用の認証情報、または指定車両１０の施解錠装置３００に予め記憶されたキーＩＤを送信した。しかし、配達人ユーザ端末２００とキーユニット１００との間の認証情報は、上記のものに限定されない。本変形例では、例えば、センタサーバ４００は、認証情報発行の要求を受付ける度に、新たな認証情報を生成し配達人ユーザ端末２００に発行してもよい。この場合、センタサーバ４００は、配達人ユーザ端末２００用の新たな認証情報に対応するキーユニット１００用の認証情報を、センタサーバ４００が接続されるネットワークＮ１と通信可能な車載通信装置（図示なし）を介して、キーユニット１００に格納するようにすればよい。この場合、キーユニット１００は、ＣＡＮ等を通じて車載通信装置に接続されればよい。ただし、センタサーバ４００は、新たな認証情報を、指定車両１０を識別する識別情報と時刻情報とによって生成し、新たな認証情報と時刻情報を配達人ユーザ端末２００に引き渡しても良い。この場合、キーユニット１００もセンタサーバ４００と同一のアルゴリズムで新たな認証情報を、生成すればよい。配達人ユーザ端末２００は、新たな認証情報と時刻情報をキーユニット１００に送信し、認証を受ければよい。
【０１１０】
（第二の実施形態）
上述した第一の実施形態は、第二情報として、第二タイミングにおける指定車両１０の位置情報を取得する例である。これに対して、本実施形態は、第二情報として、指定車両１０の移動スケジュールに基づく該指定車両１０の位置情報を取得する例である。これについて、上記の図１０を参照して、以下に詳しく説明する。
【０１１１】
本実施形態では、上記の図１０のＳ１５の処理において、指定車両１０の移動スケジュールに基づく該指定車両１０の位置情報を第二情報として取得する。ここで、指定車両１０の移動スケジュールは、例えば、該指定車両１０の車載装置１０Ａが備えるナビゲーションシステムによって作成される。詳しくは、指定車両１０のユーザによってナビゲーションシステムに目的地が入力されることで、該システムは、目的地までの移動経路や所要時間といった移動スケジュールを作成する。そして、第二タイミングにおいて配送管理サーバ４１０から車載装置１０Ａへ第二情報の送信要求がなされると、車載装置１０Ａは、移動スケジュールに基づいて、配達予定時刻における指定車両１０の位置情報を算出し、配送管理サーバ４１０に送信する。
【０１１２】
そして、配送管理サーバ４１０は、上記のようにして取得され、第二情報データベースＤ１２に登録された第二情報と、第三情報データベースＤ１３に登録された第三情報と、に基づいて、配達人による指定車両１０の荷室への荷物の配達が可能か否かを判断する（Ｓ１６）。
【０１１３】
このような配送システム１によっても、車両の荷室に荷物を配達することができなくなる事態を可及的に抑制することができる。
【０１１４】
（第三の実施形態）
上述した第一の実施形態および第二の実施形態は、受取人が所有する車両の荷室が配達先として指定される例である。これに対して、本実施形態は、受取人とは異なる第三者が所有する車両の荷室が配達先として指定される例である。これについて、図１１に基づいて、以下に詳しく説明する。
【０１１５】
図１１は、本実施形態に係る配送システムの動作の流れを例示する図である。図１１は
、上記の図１０と同様に、配送システム１における、各構成要素間の動作の流れ、および各構成要素が実行する処理を説明する。なお、以下の説明において、上記の図１０の説明で述べたのと実質的に同一の動作の流れ、処理については、同一の符号を付してその詳細な説明を省略する。
【０１１６】
本実施形態では、受取人は、配送システム１に登録された複数の車両の中から荷物の配達先となる車両（指定車両）を設定することができる。そのため、仮に、Ｓ１８の処理において、指定車両１０に対して荷物の配達ができない旨の情報が通知された場合、受取人は、指定車両１０を変更する（Ｓ１９１）。そうすると、配送管理サーバ４１０は、これを応答情報として取得する（Ｓ２０）。なお、配送管理サーバ４１０は、変更された指定車両１０の荷室への荷物の配達が可能か否かを再度判断することができる。
【０１１７】
このような配送システム１によっても、車両の荷室に荷物を配達することができなくなる事態を可及的に抑制することができる。
【符号の説明】
【０１１８】
１・・・・配送システム
１０・・・指定車両
１０Ａ・・車載装置
１００・・キーユニット
２００・・配達人ユーザ端末
２１０・・受取人ユーザ装置
３００・・施解錠装置
４００・・センタサーバ
４１０・・配送管理サーバ
【図１】
2019119549.tif 000003
【図２】
2019119549.tif 000004
【図３】
2019119549.tif 000005
【図４】
2019119549.tif 000006
【図５】
2019119549.tif 000007
【図６】
2019119549.tif 000008
【図７】
2019119549.tif 000009
【図８】
2019119549.tif 000010
【図９】
2019119549.tif 000011
【図１０】
2019119549.tif 000012
【図１１】
2019119549.tif 000013